(57)【要約】【課題】カードの細断によって、カードの有する情報の不正な利用を抑えることのできるカード細断装置を提供する。【解決手段】第１回転軸の軸方向から見て、第１カッターにおける外周部の一部と第２カッターにおける外周部の一部とは、相互に重なる領域を有し、相互に重なる領域において、第１カッターの主刃と第２カッターの主刃とは、第１回転軸の軸方向に沿って交互に配置されて、複数の第１カッターと複数の第２カッターとの間に入るカードにせん断力を作用させ、複数のカッターの少なくとも１つがカッターの外周面から突出する副刃を備える。【選択図】図１
2015231595.tif 000002
【特許請求の範囲】
【請求項１】
情報を有するカードを細断する細断部を備えるカード細断装置であって、
前記細断部は、
複数の第１カッター、および、複数の第２カッターを備え、
前記第１カッターは、第１回転軸を中心とする円盤形状を有したカッターであって、前記第１回転軸を中心に回転する外周面を主刃として有し、
前記第２カッターは、前記第１回転軸と平行な第２回転軸を中心とする円盤形状を有したカッターであって、前記第２回転軸を中心に前記第１カッターの回転方向とは反対の方向に回転する外周面を主刃として有し、
前記第１回転軸の軸方向から見て、前記第１カッターにおける外周部の一部と前記第２カッターにおける外周部の一部とは、相互に重なる領域を有し、前記相互に重なる領域において、前記第１カッターの前記主刃と前記第２カッターの前記主刃とは、前記第１回転軸の軸方向に沿って交互に配置されて、複数の前記第１カッターと複数の前記第２カッターとの間に入る前記カードにせん断力を作用させるように構成され、
複数の前記カッターの少なくとも１つが前記カッターの外周面から突出する副刃を備える
カード細断装置。
【請求項２】
前記細断部は、
前記第２回転軸の軸方向に沿って並ぶ前記第２カッターの間に配置され、前記第１カッターの前記主刃と対向するガイド部をさらに備え、
前記ガイド部は、前記主刃の中で前記相互に重なる領域を構成する部分と対向する位置から、前記第１カッターの回転方向に沿って延びる
請求項１に記載のカード細断装置。
【請求項３】
前記第１カッターの回転によって排出される前記カードの断片を収容する第１収容部と、
前記第１収容部とは異なる収容部であって、前記第２カッターの回転によって排出される前記カードの断片を収容する第２収容部と、をさらに備える
請求項１または２に記載のカード細断装置。
【請求項４】
前記相互に重なる領域にて相互に隣り合う前記第１カッターおよび前記第２カッターの各々が前記副刃を有し、
前記第１カッターの前記副刃が前記相互に重なる領域に位置するとき、前記第２カッターの前記副刃は前記相互に重なる領域以外に位置する
請求項１〜３のいずれか一項に記載のカード細断装置。
【請求項５】
前記相互に重なる領域にて、前記第１カッターと前記第２カッターとの間には、隙間が形成されている
請求項１〜４のいずれか一項に記載のカード細断装置。
【発明の詳細な説明】
【技術分野】
【０００１】
本発明は、カードを細断するカード細断装置に関する。
【背景技術】
【０００２】
従来から、磁気カードやＩＣカード等のカードの破棄に際しては、これらのカードが有する情報の流出や不正な利用を抑えるために、カード細断装置によるカードの細断が行われている。例えば、特許文献１に記載のカード細断装置は、短冊状を有する複数の断片にカードを細断する。
【先行技術文献】
【特許文献】
【０００３】
【特許文献１】特開２００１−３００３３４号公報
【発明の概要】
【発明が解決しようとする課題】
【０００４】
しかしながら、カードが複数の断片に細断されることのみでは、不正な利用の対象となる情報の全てが１つの断片に含まれたり、複数の断片が繋ぎ合わされることによってその情報が復元されたりするため、カードの有する情報を不正に利用される虞がある。それゆえ、こうした情報の不正な利用が困難な状態に、カードを細断するカード細断装置が望まれている。
【０００５】
本発明は、カードの細断によって、カードの有する情報の不正な利用を抑えることのできるカード細断装置を提供することを目的とする。
【課題を解決するための手段】
【０００６】
上記課題を解決するカード細断装置は、情報を有するカードを細断する細断部を備えるカード細断装置であって、前記細断部は、複数の第１カッター、および、複数の第２カッターを備え、前記第１カッターは、第１回転軸を中心とする円盤形状を有したカッターであって、前記第１回転軸を中心に回転する外周面を主刃として有する。前記第２カッターは、前記第１回転軸と平行な第２回転軸を中心とする円盤形状を有したカッターであって、前記第２回転軸を中心に前記第１カッターの回転方向とは反対の方向に回転する外周面を主刃として有する。前記第１回転軸の軸方向から見て、前記第１カッターにおける外周部の一部と前記第２カッターにおける外周部の一部とは、相互に重なる領域を有し、前記相互に重なる領域において、前記第１カッターの前記主刃と前記第２カッターの前記主刃とは、前記第１回転軸の軸方向に沿って交互に配置されて、複数の前記第１カッターと複数の前記第２カッターとの間に入る前記カードにせん断力を作用させるように構成されている。そして、複数の前記カッターの少なくとも１つが前記カッターの外周面から突出する副刃を備える。
【０００７】
上記構成によれば、第１カッターの外周部と第２カッターの外周部とは、軸方向から見て相互に重なる領域を有し、この領域に入るカードは、第１カッターの主刃と第２カッターの主刃とによるせん断力を受けて、カッターの回転方向に沿った断片に分割される。この際に、少なくとも１つのカッターの外周面において副刃が突出しているため、副刃は、カードの厚さ方向に沿ってカードを押圧する力をカードに作用させる。そして、こうした断続的な力が細断の過程においてカードに作用するため、カードの厚さ方向に沿って断片が潰されるように、断片の一部は変形する。その結果、細断される前のカードに近い状態にカードを復元することは困難となり、また、１つの断片内においても変形によってカードの有する情報の読み取りが困難となるため、カードの有する情報の不正な利用が抑えられる。
【０００８】
上記カード細断装置において、前記細断部は、前記第２回転軸の軸方向に沿って並ぶ前記第２カッターの間に配置され、前記第１カッターの前記主刃と対向するガイド部をさらに備え、前記ガイド部は、前記主刃の中で前記相互に重なる領域を構成する部分と対向する位置から、前記第１カッターの回転方向に沿って延びることが好ましい。
【０００９】
上記構成によれば、第１カッターの主刃とガイド部との間を通るカードは、主刃によってガイド部に押し付けられることによって、湾曲した形状に変形する。したがって、カードの復元がより困難となるため、カードの有する情報の不正な利用をさらに抑えることができる。
【００１０】
上記カード細断装置は、前記第１カッターの回転によって排出される前記カードの断片を収容する第１収容部と、前記第１収容部とは異なる収容部であって、前記第２カッターの回転によって排出される前記カードの断片を収容する第２収容部と、をさらに備えることが好ましい。
【００１１】
上記構成によれば、カードが細断される前に互いに隣接する部分を構成していた２つの断片の一方は、第１カッターの回転によって第１収容部に収容され、２つの断片の他方は、第２カッターの回転によって第２収容部に収容される。したがって、互いに隣接する部分を構成していた２つの断片を１組の断片として見つけ出すことが困難になるため、断片を繋ぎ合わせてカードを復元することがより困難となる。そのため、カードの有する情報の不正な利用をさらに抑えることができる。
【００１２】
上記カード細断装置は、前記相互に重なる領域にて相互に隣り合う前記第１カッターおよび前記第２カッターの各々が前記副刃を有し、前記第１カッターの前記副刃が前記相互に重なる領域に位置するとき、前記第２カッターの前記副刃は前記相互に重なる領域以外に位置することが好ましい。
【００１３】
上記構成によれば、第１カッターと第２カッターとは、相互に異なるタイミングで、副刃による押圧をカードに与える。したがって、第１カッターと第２カッターとが同じタイミングでカードを押圧する場合と比較して、細断に要する負荷が分散されるため、細断部にかかる負荷が軽減される。
【００１４】
上記カード細断装置において、前記相互に重なる領域にて、前記第１カッターと前記第２カッターとの間には、隙間が形成されていることが好ましい。
上記構成によれば、第１カッターと第２カッターとの間においてカードが切断され易くなる。
【発明の効果】
【００１５】
本発明によれば、カードの細断によって、カードの有する情報の不正な利用を抑えることができる。
【図面の簡単な説明】
【００１６】
【図１】一実施形態のカード細断装置の全体構成を示す図である。
【図２】一実施形態のカード細断装置における細断部の斜視構造を示す斜視図である。
【図３】一実施形態のカード細断装置におけるカッターおよびガイド部の正面構造を示す正面図である。
【図４】一実施形態のカード細断装置における細断部の上面構造を示す上面図である。
【図５】一実施形態のカード細断装置においてカードが細断されるときの装置状態をカードと共に模式的に説明する図である。
【図６】一実施形態のカード細断装置における細断部の部分的な構成を示す部分上面図である。
【図７】一実施形態のカード細断装置によって細断されたカードを示す図である。
【図８】一実施形態のカード細断装置の作用を示す作用図であって、第１カッターによって押圧されたカードの断片が収集される過程を示す図である。
【図９】一実施形態のカード細断装置の作用を示す作用図であって、第２カッターによって押圧されたカードの断片が収集される過程を示す図である。
【図１０】変形例のカード細断装置におけるカッターの斜視構造およびその組み立て工程を示す図である。
【図１１】変形例のカード細断装置におけるカッターの斜視構造およびその組み立て工程を示す図である。
【図１２】変形例のカード細断装置におけるカッターの正面構造を示す正面図である。
【図１３】変形例のカード細断装置におけるカッターの正面構造を示す正面図である。
【発明を実施するための形態】
【００１７】
図１〜図９を参照して、カード細断装置の一実施形態について説明する。
［カード細断装置の全体構成］
図１に示されるように、カード細断装置１０は、カードを細断する細断部２０と、細断部２０を駆動する駆動部３０と、細断部２０によって細断されたカードの断片を収容する収容部４０とを備えている。
【００１８】
細断部２０と、駆動部３０と、収容部４０とは、カード細断装置１０が有する筐体１１の内部に収容されている。筐体１１の有する部位の中で、細断部２０にてカードが細断される位置の上方に位置する部位には、筐体１１の内部と外部とを連通する供給口１１ａが形成されている。細断対象のカードは、供給口１１ａから細断部２０へ供給される。
【００１９】
細断部２０は、複数のカッター２１と、複数のガイド部２２とを有している。カッター２１は、カッター２１の回転によって、カードを短冊状に切断するせん断力、および、カードの厚さ方向への押圧力をカードに与え、ガイド部２２は、カッター２１によるカードへの押圧力の付与を補助する。
【００２０】
駆動部３０は、細断部２０のカッター２１を回転させる動力源であるモーターや、動力を動力源からカッター２１へ伝達する機構等を有している。
収容部４０は、第１収容部４０Ａと第２収容部４０Ｂとを有している。第１収容部４０Ａにてカードの断片が収容される空間と、第２収容部４０Ｂにてカードの断片が収容される空間とは、分離されている。第１収容部４０Ａと第２収容部４０Ｂとは、第１収容部４０Ａに収容されたカードの断片と、第２収容部４０Ｂに収容されたカードの断片とを、筐体１１の外部へ別々に取り出すことが可能なように、筐体１１内に設置されている。
【００２１】
カード細断装置１０による細断対象のカードは、情報を有したカードであって、磁気カードやＩＣカード等の樹脂製のカードや、磁気ストライプやＩＣチップを有さない樹脂製のカード等、一般的な紙よりも厚みが厚く、硬度が高いカードである。
【００２２】
なお、カード細断装置１０における各部の配置は、図１に示される配置に限られず、カード細断装置１０は、例えば、筐体１１の側面部分から細断対象のカードが細断部２０に供給される構成を有してもよい。
【００２３】
［細断部の構成］
図２〜図４を参照して、細断部２０の詳細な構成について説明する。
まず、図２を参照して、細断部２０の全体構成について説明する。なお、図２においては、複数のカッター２１の位置関係をわかりやすくするため、最も手前のガイド部２２を二点鎖線で示している。
【００２４】
図２に示されるように、複数のカッター２１は、第１回転軸２３の回転に伴って第１回転軸２３を中心に回転する円盤形状を有した複数の第１カッター２１Ａと、第２回転軸２４の回転に伴って第２回転軸２４を中心に回転する円盤形状を有した複数の第２カッター２１Ｂとに分けられる。第１回転軸２３と第２回転軸２４とは、相互に平行に配置され、第１回転軸２３は、各第１カッター２１Ａの中心を通り、第２回転軸２４は、各第２カッター２１Ｂの中心を通っている。第１回転軸２３および第２回転軸２４の各々は、軸方向から見て、正六角形の断面形状を有している。
【００２５】
第１回転軸２３と第２回転軸２４の各々は、駆動部３０に連結され、駆動部３０から動力を受けて回転する。駆動部３０からの駆動力を受ける第１回転軸２３は、例えば、右回りに回転する一方で、駆動部３０からの駆動力を受ける第２回転軸２４は、第１回転軸２３の回転する方向とは反対の方向である例えば左周りに回転する。このとき、カードが供給される方向から見て、すなわち、供給口１１ａから細断部２０を見て、第１回転軸２３は、第２回転軸２４に向かう方向に回転し、第２回転軸２４は、第１回転軸２３に向かう方向に回転する。
【００２６】
複数のガイド部２２は、第１カッター２１Ａと対向する第１ガイド部２２Ａと、第２カッター２１Ｂと対向する第２ガイド部２２Ｂとに分けられる。第１ガイド部２２Ａは、第１カッター２１Ａに対して第２回転軸２４側に配置され、第２ガイド部２２Ｂは、第２カッター２１Ｂに対して第１回転軸２３側に配置されている。第１回転軸２３の軸方向に沿って並ぶ第１カッター２１Ａの間には、第２ガイド部２２Ｂが位置し、第２回転軸２４の軸方向に沿って並ぶ第２カッター２１Ｂの間には、第１ガイド部２２Ａが位置する。
【００２７】
図３を参照して、カッター２１およびガイド部２２の詳細な構成について説明する。なお、図３では、第１カッター２１Ａおよび第１ガイド部２２Ａを例示して説明するが、第２カッター２１Ｂおよび第２ガイド部２２Ｂも同様の構成を有している。
【００２８】
図３に示されるように、カッター２１は、円盤形状に形成されて主刃としての外周面を有する円盤部２１ａと、円盤部２１ａの外周面から円盤部２１ａにおける径方向の外側に向けて突出する副刃としての突起部２１ｂとを備えている。円盤部２１ａの軸方向から見て、突起部２１ｂは、略矩形状を有し、その一辺が、円盤部２１ａに繋がっている。突起部２１ｂは、円盤部２１ａの外周面にて、円盤部２１ａにおける軸方向の全体に渡って延びる突条形状に形成されている。すなわち、突起部２１ｂは、四角柱形状を有し、その一面が円盤部２１ａに繋がっている。
【００２９】
突起部２１ｂの数および位置は限定されないが、突起部２１ｂが複数ある場合には、突起部２１ｂは、円盤部２１ａの周方向に沿って均等に配置されていることが好ましい。円盤部２１ａと突起部２１ｂとは、例えば、金属から一体に形成される。
【００３０】
ガイド部２２は、円盤部２１ａにおける外周面の一部と対向し、円盤部２１ａが回転することによって、円盤部２１ａにおける外周面の全体と対向する。すなわち、ガイド部２２は、円盤部２１ａにおける主刃と対向し、また、副刃である突起部２１ｂとも対向する。
【００３１】
カードは、カードの面方向を円盤部２１ａの軸方向に沿わせて、円盤部２１ａの径方向の外側から、細断部２０に差し入れられる。ガイド部２２と円盤部２１ａの外周面とが対向する範囲は特に制限されず、ガイド部２２は、カッター２１の回転方向とカードの進行方向とがほぼ一致する領域のみで円盤部２１ａの外周面と対向してもよいし、上記領域を越えて円盤部２１ａの外周面と対向してもよい。
【００３２】
こうした構成において、カードは、カッター２１とガイド部２２との間を通って、細断部２０を通過する。ガイド部２２は、カードの搬送経路に沿って配置され、カードの搬送方向を案内する。
【００３３】
図４を参照して、複数のカッター２１および複数のガイド部２２の配置について説明する。
図４に示されるように、第１回転軸２３と第２回転軸２４との間の距離は、第１カッター２１Ａの半径と、第２カッター２１Ｂの半径との合計の長さよりも短い。第１カッター２１Ａにおける外周部の一部と、第２カッター２１Ｂにおける外周部の一部とは、回転軸２３，２４の軸方向から見て相互に重なっている。第１カッター２１Ａの一部と第２カッター２１Ｂの一部とが相互に重なる領域にて、第１カッター２１Ａの円盤部２１ａと第２カッター２１Ｂの円盤部２１ａとは、回転軸２３，２４の軸方向に沿って交互に配置されている。回転軸２３，２４の軸方向から見て、第１カッター２１Ａにおける外周縁の回転軌道の一部と、第２カッター２１Ｂにおける外周縁の回転軌道の一部とは相互に重なる。
【００３４】
第１ガイド部２２Ａは、第１カッター２１Ａの円盤部２１ａにおける外周面の中で軸方向から見て第２カッター２１Ｂと重なる部分と対向する位置から、第１カッター２１Ａの回転方向に沿って延びる。第２ガイド部２２Ｂは、第２カッター２１Ｂの円盤部２１ａにおける外周面の中で軸方向から見て第１カッター２１Ａと重なる部分と対向する位置から、第２カッター２１Ｂの回転方向に沿って延びる。
【００３５】
こうした構成において、カードは、カードの面方向を回転軸２３，２４の軸方向に沿わせて、第１カッター２１Ａの一部と第２カッター２１Ｂの一部とが相互に重なる領域に差し入れられる。
【００３６】
なお、第１カッター２１Ａの数、および、第２カッター２１Ｂの数は、特に限定されず、細断によるカードの分割数の必要に応じて定められれば良い。
［作用］
図５〜図９を参照して、本実施形態のカード細断装置１０がもたらす作用について説明する。なお、図５では、カードが細断される様子を理解しやすくするために、カードの変形および第１カッター２１Ａと第２カッター２１Ｂとの間の隙間の大きさを強調して示している。
【００３７】
図５に示されるように、細断部２０に供給されたカード５０は、第１カッター２１Ａの回転と、第２カッター２１Ｂの回転とに巻き込まれる。カード５０は、第１カッター２１Ａの円盤部２１ａから、円盤部２１ａの径方向の外側に向かう力Ｆ１を受け、第２カッター２１Ｂの円盤部２１ａから、円盤部２１ａの径方向の外側に向かう力Ｆ２を受ける。結果として、隣接する第１カッター２１Ａと第２カッター２１Ｂとの間の領域では、これらの力Ｆ１，Ｆ２がカード５０にせん断力として働く。
【００３８】
また、カード５０は、突起部２１ｂから、円盤部２１ａの径方向の外側に向かう力Ｆ３を受ける。力Ｆ３は、カード５０に対してカード５０の厚さ方向への押圧力として働く。力Ｆ３は、カード５０と突起部２１ｂとが対向する部分でのみ生じるため、力Ｆ３は、カード５０の面方向において局所的に働く。また、第２カッター２１Ｂの突起部２１ｂと対向するカード５０の部分の中で、第１カッター２１Ａに近い部分ほど、力Ｆ１に起因して、力Ｆ３とは反対方向の力を強く受けるため、押圧力を強く受ける。同様に、第１カッター２１Ａの突起部２１ｂと対向するカード５０の部分の中で、第２カッター２１Ｂに近い部分ほど、押圧力を強く受ける。
【００３９】
結果として、カード５０は、第１カッター２１Ａと第２カッター２１Ｂとの間で切断され、カード５０の中で突起部２１ｂと対向した部分には、カード５０の厚さ方向に変形が生じる。
【００４０】
ここで、カード５０と突起部２１ｂとが対向する部分では、カード５０は、突起部２１ｂとは反対側からガイド部２２に支えられる。その結果、カード５０は、ガイド部２２から、力Ｆ３とは反対方向の力を受けるため、力Ｆ３による押圧力が強く働き、ガイド部２２が設けられていない場合と比較して、カード５０の厚さ方向の変形が大きくなる。
【００４１】
図６に示されるように、相互に隣接する第１カッター２１Ａと第２カッター２１Ｂとの間には隙間が形成されていることが好ましい。隙間が形成されていると、第１カッター２１Ａと第２カッター２１Ｂとの間でカード５０が切断され易くなる。隙間の大きさ、すなわち、第１カッター２１Ａと第２カッター２１Ｂとの間の距離ｄ１は、細断対象のカードの材質や厚みなどに応じて細断が円滑に進むように決定され、例えば、カード５０がポリ塩化ビニルやポリプロピレンを主材料として形成されている場合には、距離ｄ１は０．１ｍｍ以下であることが好ましい。
【００４２】
カッター２１とガイド部２２とが対向する部分において、突起部２１ｂとガイド部２２とが対向するとき、突起部２１ｂとガイド部２２との間の距離ｄ２は、細断対象のカードが有する厚さ以下の大きさであることが好ましい。例えば、細断対象のカードが、一般的な磁気カードやＩＣカード等のように、ＩＳＯ規格に準拠した０．７６ｍｍ厚のカードである場合、距離ｄ２は０．７６ｍｍ以下であることが好ましい。
【００４３】
こうした構成によれば、カッター２１とガイド部２２とが対向する部分において、突起部２１ｂからの力Ｆ３に反してガイド部２２がカード５０を支える機能が高められ、カード５０がガイド部２２から受ける力が大きくなるため、カード５０の厚さ方向の変形が大きくなる。
【００４４】
なお、円盤部２１ａの径方向における突起部２１ｂの長さｄ３は特に限定されないが、突起部２１ｂの長さｄ３が長いほど、突起部２１ｂがカード５０に対して加える押圧力が強く働く。そのため、突起部の長さｄ３は、カード５０に与えることが望まれる厚さ方向の変形の程度に応じて定められることが好ましい。
【００４５】
また、円盤部２１ａの軸方向における円盤部２１ａの長さｄ４は、細断された短冊状のカード５０の断片の幅を規定するため、カード５０の断片の幅について望まれる長さに応じて定められることが好ましい。
【００４６】
また、第１カッター２１Ａと第２カッター２１Ｂとが回転し始める前の状態において、第１カッター２１Ａが有する突起部２１ｂの位置は、第２カッター２１Ｂが有する突起部２１ｂの位置と異なることが好ましい。そして、軸方向から見て第１カッター２１Ａと第２カッター２１Ｂとが相互に重なる領域を基準として、第１カッター２１Ａが有する突起部２１ｂの回転位相が、第２カッター２１Ｂが有する突起部２１ｂの回転位相と異なるように、駆動部３０が各カッター２１を回転することが好ましい。この場合、第１カッター２１Ａと第２カッター２１Ｂとが回転しているとき、回転軸２３，２４の軸方向から見て、第１カッター２１Ａの突起部２１ｂが、第１カッター２１Ａの一部と第２カッター２１Ｂの一部とが相互に重なる領域に位置するとき、第２カッター２１Ｂの突起部２１ｂは上記相互に重なる領域以外に位置する。
【００４７】
こうした構成によれば、第１カッター２１Ａと第２カッター２１Ｂとが回転しているとき、第１カッター２１Ａの突起部２１ｂと第２カッター２１Ｂの突起部２１ｂとがカード５０をほぼ同時に押圧することがなく、第１カッター２１Ａと第２カッター２１Ｂとは、互いに異なるタイミングで、突起部２１ｂによる押圧をカード５０に与える。したがって、第１カッター２１Ａと第２カッター２１Ｂとが同じタイミングでカード５０を押圧する場合と比較して、細断部２０にかかる応力が分散される。その結果、細断部２０にかかる負荷が軽減される。
【００４８】
図７に示されるように、細断部２０による細断の結果、カード５０は、第１カッター２１Ａと第２カッター２１Ｂとの数に応じた数の、短冊状の断片５０ａに分割される。
断片５０ａの中で、突起部２１ｂによって押圧された部分には、カード５０の厚さ方向に変形が生じる。変形箇所５１は、断片５０ａにおけるせん断位置の延びる方向に沿って並ぶ。こうした変形は、具体的には、例えば、断片５０ａの表面に形成された傷やへこみであり、押圧力が大きい場合には、変形箇所５１で断片５０ａが千切れることもあり得る。また、上述のように、第１カッター２１Ａと第２カッター２１Ｂとの間に近い部分ほど、突起部２１ｂによる押圧力が強く働くため、変形箇所５１の各々にて、せん断位置に近い部分、すなわち、断片５０ａの端部に近い部分ほど、変形は大きい。
【００４９】
１つの断片５０ａにて、変形箇所５１の間隔は、円盤部２１ａの周方向における突起部２１ｂの間隔に相当する。また、上述のように、断片５０ａの幅は、円盤部２１ａの長さｄ４によって決まり、変形箇所５１における変形の程度は、突起部２１ｂとガイド部２２との間の距離ｄ２や突起部２１ｂの長さｄ３によって決まる。
【００５０】
このように、本実施形態のカード細断装置１０によれば、カード５０は、短冊状の断片５０ａに分割され、さらに、断片５０ａには、部分的に、カード５０の厚さ方向の変形が生じる。厚さ方向の変形が生じていると、断片５０ａを繋ぎ合わせたとしても、細断される前のカードに近い状態にカードを復元することは困難である。また、厚さ方向の変形によって、カード５０の表面に記載されている情報が部分的に破壊されるため、こうした情報の読み取りも困難になる。
【００５１】
また、カード５０が磁気カードやＩＣカードである場合、情報を保持している磁気ストライプやＩＣチップが、カード５０の切断やカード５０の厚さ方向の変形によって破壊されるため、こうした情報の読み取りも困難になる。
【００５２】
したがって、本実施形態のカード細断装置１０によってカード５０が細断されることによって、カード５０の有する情報の不正な利用を抑えることができる。
ここで、従来のように、カードの細断によってカードが短冊状に分割されるのみであって、厚さ方向の変形が生じない場合、磁気ストライプやＩＣチップが１つの断片内に収まってしまうと、磁気ストライプやＩＣチップが破壊されない。その結果、磁気ストライプやＩＣチップの有する情報が取り出されて不正に利用される虞がある。磁気ストライプやＩＣチップが破壊されるようにするためには、断片の幅を小さくするようにカッターの数を増やしたり、断片に対して更なる加工を加えたりすることが必要である。しかしながら、カッターの数を増やすことは、カード細断装置の細断部の大幅な複雑化を招き、また、断片に対して更なる加工を加えることは、処理時間の増大を招く。
【００５３】
これに対し、本実施形態のカード細断装置１０では、短冊状の断片５０ａにて、厚さ方向の変形が生じるため、カード５０が磁気カードである場合には、磁気ストライプが１つの断片５０ａ内に収まったとしても、変形箇所５１にて磁気ストライプが傷つけられる。例えば、カード５０を細断部２０に差し入れる向きによって、磁気ストライプの位置が変わる場合であっても、磁気ストライプの位置に関わりなく、磁気ストライプが傷つけられる。
【００５４】
また、カード５０がＩＣカードである場合には、ＩＣチップが１つの断片５０ａ内に収まったとしても、変形箇所５１にてＩＣチップが傷つけられる。変形箇所５１の位置は、円盤部２１ａの周方向における突起部２１ｂの間隔によって調整可能であるため、カッター２１の数を増やすことと比較して、ＩＣチップを破壊するための調整を簡易な構成にて実現することができる。例えば、カード５０を細断部２０に差し入れる向きによって、ＩＣチップの位置が変わる場合であっても、ＩＣチップが配置され得るすべての位置に変形箇所５１が位置するように設定することも容易である。
【００５５】
したがって、本実施形態のカード細断装置１０によれば、細断部２０の大幅な複雑化や処理時間の増大を抑えつつ、磁気ストライプやＩＣチップの有する情報の破壊についての確実性を高めることができる。その結果、これらの情報の不正な利用を抑えることができる。
【００５６】
また、突起部２１ｂは、カード５０を押圧しながら円盤部２１ａとともに回転するため、カッター２１が突起部２１ｂを有していることによって、カッター２１がカード５０を巻き込む力が強くなる。したがって、カード５０を細断部２０に供給する際に、カード５０を細断部２０へ差し込むために要する外力が削減される。
【００５７】
図８に示されるように、細断された断片５０ａのうち、第１カッター２１Ａの円盤部２１ａの外周面と対向していた断片５０ａは、第１カッター２１Ａの回転によって押し出され、第１カッター２１Ａと第１ガイド部２２Ａとの間を通って排出される。第１カッター２１Ａの円盤部２１ａの外周面と対向していた断片５０ａは、第１カッター２１Ａに対して第２回転軸２４とは反対側に排出され、第１収容部４０Ａに収容される。
【００５８】
図９に示されるように、細断された断片５０ａのうち、第２カッター２１Ｂの円盤部２１ａの外周面と対向していた断片５０ａは、第２カッター２１Ｂの回転によって押し出され、第２カッター２１Ｂと第２ガイド部２２Ｂとの間を通って排出される。すなわち、第２カッター２１Ｂの円盤部２１ａの外周面と対向していた断片５０ａは、第２カッター２１Ｂに対して第１回転軸２３とは反対側に排出され、第２収容部４０Ｂに収容される。
【００５９】
したがって、カード５０が細断される前に、互いに隣接する部分を構成していた断片５０ａは、互いに異なる方向に排出され、互いに異なる収容部４０Ａ，４０Ｂに収容される。そして、第１収容部４０Ａに収容された断片５０ａと第２収容部４０Ｂに収容された断片５０ａとは、別々にカード細断装置１０から取り出されて廃棄される。
【００６０】
このように、カード５０にて互いに隣接する部分を構成していた断片５０ａが別々に回収されるため、断片５０ａを繋ぎ合わせてカード５０を復元することがより困難となる。
また、断片５０ａは、第１カッター２１Ａと第１ガイド部２２Ａとの間、もしくは、第２カッター２１Ｂと第２ガイド部２２Ｂとの間を通るとき、円盤部２１ａによって、ガイド部２２の有する曲面、すなわち、円盤部２１ａの外周面に沿って曲がる曲面に押し付けられ続ける。その結果、断片５０ａは、円盤部２１ａの外形に沿って変形し、湾曲した形状になる。
【００６１】
上記構成において、第１カッター２１Ａから排出された断片５０ａが、カードの有する２つの面のうちの一方の面を内側にして湾曲するとき、第２カッター２１Ｂから排出された断片５０ａは、上記一方の面とは反対側の面を内側にして湾曲する。したがって、カード５０にて互いに隣接する部分を構成していた断片５０ａが互いに異なる向きに湾曲するため、断片５０ａを繋ぎ合わせてカード５０を復元することがより困難となる。
【００６２】
以上説明したように、本実施形態のカード細断装置１０によれば、以下に列挙する効果を得ることができる。
（１）カッター２１が、カード５０をせん断する機能を有する主刃としての外周面を有する円盤部２１ａと、カード５０に対して厚さ方向の変形を生じさせる機能を有する副刃である突起部２１ｂとを備えることにより、異なる機能を有する２つの種類の刃を有している。こうした構成によれば、カード５０は、短冊状の断片５０ａに分割され、さらに、断片５０ａには、部分的に、カード５０の厚さ方向に潰されるように変形が生じる。その結果、断片５０ａを繋ぎ合わせたとしても、細断される前のカードに近い状態にカード５０を復元することは困難であり、カード５０の表面に記載されている情報や磁気ストライプあるいはＩＣチップが保持しているや情報の読み取りも困難になる。したがって、カード５０の細断によって、カード５０の有する情報の不正な利用を抑えることができる。
【００６３】
（２）ガイド部２２が設けられていることによって、カード５０にて互いに隣接する部分を構成していた断片５０ａが互いに異なる向きに湾曲するため、断片５０ａを繋ぎ合わせてカード５０を復元することがより困難となる。また、カード５０は、突起部２１ｂとは反対側からガイド部２２に支えられる。その結果、突起部２１ｂからカード５０に作用する押圧力は、カード５０がガイド部２２から反力を受ける分だけ、カード５０の断片５０ａを押し潰す力として強く働き、カード５０の厚さ方向における変形を断片５０ａに促す。したがって、ガイド部２２が設けられていない場合と比較して、カード５０の厚さ方向の変形が大きくなる。
【００６４】
（３）カード５０が細断される前に、互いに隣接する部分を構成していた断片５０ａが、互いに異なる収容部４０Ａ，４０Ｂに収容される。したがって、互いに隣接する部分を構成していた断片５０ａを１組の断片５０ａとして見つけ出すことが困難になるため、断片５０ａを繋ぎ合わせてカード５０を復元することがより困難となる。
【００６５】
（４）第１カッター２１Ａの突起部２１ｂが、第１カッター２１Ａの一部と第２カッター２１Ｂの一部とが相互に重なる領域に位置するとき、第２カッター２１Ｂの突起部２１ｂは上記相互に重なる領域以外に位置する。そのため、第１カッター２１Ａと第２カッター２１Ｂとは、互いに異なるタイミングで、突起部２１ｂによる押圧をカード５０に与える。したがって、第１カッター２１Ａと第２カッター２１Ｂとが同じタイミングでカード５０を押圧する場合と比較して、細断部２０にかかる応力が分散されるため、細断部２０にかかる負荷が軽減される。
【００６６】
（５）相互に隣接する第１カッター２１Ａと第２カッター２１Ｂとの間には、隙間が形成されているため、第１カッター２１Ａと第２カッター２１Ｂとの間でカードが切断され易くなる。
【００６７】
（変形例）
上記実施形態は、以下のように変更して実施することが可能である。
・第１回転軸２３の軸方向から見て、第１カッター２１Ａの各々が有する突起部２１ｂの位置は、重なってもよいし、ずれていてもよい。同様に、第２回転軸２４の軸方向から見て、第２カッター２１Ｂの各々が有する突起部２１ｂの位置は、重なってもよいし、ずれていてもよい。突起部２１ｂの位置がずれていると、第１カッター２１Ａの各々は、互いに異なるタイミングでカード５０に押圧力を与え、また、第２カッター２１Ｂの各々は、互いに異なるタイミングでカード５０に押圧力を与える。したがって、細断部２０内に生じる応力を分散させるためには、突起部２１ｂの位置がずれていることが好ましい。
【００６８】
・図１０に示されるように、カッター２１は、互いに同一の形状を有する２つのカッター片２６ａ，２６ｂを備え、これらのカッター片２６ａ，２６ｂが接合されることによって形成されていてもよい。カッター片２６ａは、円盤形状を有する円盤部２７ａと、円盤部２７ａの外周面から径方向の外側に向けて突出する突起部２８ａとを備えている。同様に、カッター片２６ｂは、円盤形状を有する円盤部２７ｂと、円盤部２７ｂの外周面から径方向の外側に向けて突出する突起部２８ｂとを備えている。カッター片２６ａとカッター片２６ｂとは、円盤部２７ａの軸方向と円盤部２７ｂの軸方向とを一致させ、この軸方向から見て、突起部２８ａと突起部２８ｂとが重なるように、接合されている。この場合、カッター片２６ａの円盤部２７ａとカッター片２６ｂの円盤部２７ｂとから、カッター２１の円盤部２１ａが構成され、軸方向から見て重なっているカッター片２６ａの突起部２８ａとカッター片２６ｂの突起部２８ｂとから、カッター２１における１つの突起部２１ｂが構成される。
【００６９】
図１１に示されるように、カッター片２６ａとカッター片２６ｂとは、軸方向から見て、突起部２８ａと突起部２８ｂとをずらして接合されてもよい。この場合、カッター片２６ａの円盤部２７ａとカッター片２６ｂの円盤部２７ｂとから、カッター２１の円盤部２１ａが構成され、カッター片２６ａの突起部２８ａとカッター片２６ｂの突起部２８ｂとの各々が、カッター２１における１つの突起部２１ｂを構成する。すなわち、カッター２１は、円盤部２１ａの軸方向における位置が互いに異なる突起部２８ａと突起部２８ｂとを備え、上記軸方向から見て、突起部２８ａの位置と突起部２８ｂの位置とがずれている。こうした構成によれば、突起部２８ａと突起部２８ｂとは、互いに異なるタイミングでカード５０に押圧力を与えるため、細断部２０内に生じる応力をさらに分散させることができる。
【００７０】
なお、カッター片２６ａが有する突起部２８ａの数と、カッター片２６ｂが有する突起部２８ｂの数とは、その合計が１以上であればよい。
・突起部２１ｂの形状は、上記実施形態にて例示した形状に限られない。例えば、図１２に示されるように、突起部２１ｂは、先端に向かって鋭利になっていてもよい。また例えば、図１３に示されるように、突起部２１ｂは、円盤部２１ａの外周面に立設された平面２５ａと、平面２５ａと円盤部２１ａの外周面とをなだらかに繋ぐ曲面２５ｂとを有していてもよい。この場合、平面２５ａは、曲面２５ｂよりも、カッター２１の回転方向の前方側に配置されることが好ましい。こうした構成によれば、突起部２１ｂがカード５０を押圧するときに、例えば、突起部２１ｂと円盤部２１ａとの接続部分等、突起部２１ｂの一部に応力が集中することが抑えられる。したがって、突起部２１ｂの強度が高められる。
【００７１】
また、突起部２１ｂは突条形状に形成されていなくてもよく、円盤部２１ａの軸方向において、突起部２１ｂは円盤部２１ａの外周面の一部に形成されていてもよいし、円盤部２１ａの軸方向に沿って、突起部２１ｂの断面形状が変化してもよい。また、突起部２１ｂは円盤部２１ａの軸方向に沿って軸方向と平行に形成されてもよいし、軸方向に対して傾斜をもって形成されてもよい。あるいは、突起部２１ｂは半球状であってもよい。また、１つのカッター２１が有する複数の突起部２１ｂに、互いに形状の異なる突起部２１ｂが含まれてもよいし、複数のカッター２１が、互いに異なる形状や数の突起部２１ｂを有するカッター２１を含んでいてもよい。要は、突起部２１ｂは、円盤部２１ａの外周面から突出していればよい。なお、上記実施形態のように、突起部２１ｂが四角柱形状を有すると、突起部２１ｂの形成が容易であるため好ましい。
【００７２】
また、円盤部２１ａは、円盤形状であればよく、例えば、円盤部２１ａの外周面にて、円盤部２１ａの軸方向の端部に傾斜が形成されていてもよい。
・突起部２１ｂは、複数のカッター２１の少なくとも１つに形成されていればよく、例えば、複数の第１カッター２１Ａの少なくとも一部が突起部２１ｂを有していない構成であってもよく、また、複数の第２カッター２１Ｂの少なくとも一部が突起部２１ｂを有していない構成であってもよい。こうした構成であっても、一部の断片５０ａには厚さ方向の変形が生じるため、すべてのカッター２１が突起部２１ｂを有さない構成と比較して、カードの有する情報の不正な利用は抑えられる。
【００７３】
・ガイド部２２は、設けられていなくてもよいし、複数のカッター２１のうちの一部のカッター２１に対してのみ配置されていてもよい。また、ガイド部２２が案内するカード５０の断片５０ａの搬送方向は、上記実施形態における搬送方向とは異なる方向であってもよい。
【００７４】
・収容部４０は、３以上の互いに異なる収容部を有していてもよい。例えば、カッター２１ごとに、カッター２１の回転によって排出される断片５０ａを収容する収容部が配置されてもよい。要は、第１カッター２１Ａの回転によって排出される断片５０ａを収容する収容部と、第２カッター２１Ｂの回転によって排出される断片５０ａを収容する収容部とが異なる収容部であればよい。なお、第１カッター２１Ａの回転によって排出される断片５０ａを収容する収容部と、第２カッター２１Ｂの回転によって排出される断片５０ａを収容する収容部とが同一の収容部であっても、上記（１）、（２）、（４）、（５）の効果は得られる。
【００７５】
・第１カッター２１Ａと第２カッター２１Ｂとが回転しているとき、複数のカッター２１のうちの一部のカッター２１にて、第１カッター２１Ａの突起部２１ｂと、第２カッター２１Ｂの突起部２１ｂとが、第１カッター２１Ａの一部と第２カッター２１Ｂの一部とが相互に重なる領域に位置してもよい。こうした構成によっても、すべての第１カッター２１Ａおよび第２カッター２１Ｂの突起部２１ｂが同じタイミングでカード５０を押圧する場合と比較して、細断部２０にかかる応力が分散される。あるいは、すべてのカッター２１について、第１カッター２１Ａの突起部２１ｂと、第２カッター２１Ｂの突起部２１ｂとが、第１カッター２１Ａの一部と第２カッター２１Ｂの一部とが相互に重なる領域に位置してもよい。こうした構成によっても、上記（１）〜（３）、（５）の効果は得られる。
【００７６】
・相互に隣接する第１カッター２１Ａと第２カッター２１Ｂとは、これらの回転に際して摺接していてもよい。こうした構成によっても、カード５０の切断は可能である。
・第１回転軸２３および第２回転軸２４の軸方向から見た断面形状は、上記実施形態にて例示した形状に限られず、正六角形とは異なる多角形であってもよいし、円形であってもよい。回転軸２３，２４の断面形状が、多角形、もしくは、曲線と直線との組み合わせからなる形状であると、断面形状が円形である場合と比べて、回転軸２３，２４に対してカッター２１が滑ることが抑えられるため、回転軸２３，２４からカッター２１へ回転力が効率的に伝わる。その結果、カッター２１がカード５０へ力を加えるにあたって、駆動部３０から伝達されるエネルギーの損失が抑えられる。したがって、回転軸２３，２４の断面形状は、多角形、もしくは、曲線と直線との組み合わせからなる形状であることが好ましい。
【符号の説明】
【００７７】
１０…カード細断装置、２０…細断部、２１…カッター、２１Ａ…第１カッター、２１Ｂ…第２カッター、２２…ガイド部、２２Ａ…第１ガイド部、２２Ｂ…第２ガイド部、２３…第１回転軸、２４…第２回転軸、３０…駆動部、４０…収容部、４０Ａ…第１収容部、４０Ｂ…第２収容部、５０…カード、５０ａ…断片。
【図１】
2015231595.tif 000003
【図２】
2015231595.tif 000004
【図３】
2015231595.tif 000005
【図４】
2015231595.tif 000006
【図５】
2015231595.tif 000007
【図６】
2015231595.tif 000008
【図７】
2015231595.tif 000009
【図８】
2015231595.tif 000010
【図９】
2015231595.tif 000011
【図１０】
2015231595.tif 000012
【図１１】
2015231595.tif 000013
【図１２】
2015231595.tif 000014
【図１３】
2015231595.tif 000015